(57)【要約】【課題】撮影パラメータの制御によって自然さを保ちながらプライバシー等を保護する。【解決手段】  撮影機器は、撮影光学系を介して被写体を撮影して得た撮像画像を出力する撮像部と、上記撮影光学系及び撮像部の少なくとも一方の１つ以上の撮影パラメータを制御するパラメータ制御部と、公開モードにおいて、上記１つ以上の撮影パラメータを制御して、上記撮像画像中の少なくとも非公開領域を不鮮明な画像にする公開制御部とを具備する。【選択図】図１
2014207580.tif 000002
【特許請求の範囲】
【請求項１】
撮影光学系を介して被写体を撮影して得た撮像画像を出力する撮像部と、
上記撮影光学系及び撮像部の少なくとも一方の１つ以上の撮影パラメータを制御するパラメータ制御部と、
公開モードにおいて、上記１つ以上の撮影パラメータを制御して、上記撮像画像中の少なくとも非公開領域を不鮮明な画像にする公開制御部と
を具備したことを特徴とする撮影機器。
【請求項２】
上記撮像画像中の特定の領域を非公開領域として判定する非公開領域判定部、
を具備したことを特徴とする請求項１に記載の撮影機器。
【請求項３】
撮像画像を合成する合成制御部を具備し、
上記公開制御部は、上記１つ以上の撮影パラメータを変化させて得た複数の撮像画像を上記合成制御部によって合成させる
ことを特徴とする請求項１又は２に記載の撮影機器。
【請求項４】
上記合成制御部は、上記公開制御部に制御されて、相互に異なる撮像画像から得た上記非公開領域の画像とその他の領域の画像とを合成する
ことを特徴とする請求項１乃至３のいずれか１つに記載の撮影機器。
【請求項５】
上記パラメータ制御部は、上記公開制御部に制御されて、上記１つ以上の撮影パラメータとして、露出、ピント及び手ブレのうちの少なくとも１つに関する撮影パラメータを制御する
ことを特徴とする請求項１乃至４のいずれか１つに記載の撮影機器。
【請求項６】
上記非公開領域判定部は、上記非公開領域を顔検出又は文字検出によって判定する
ことを特徴とする請求項２に記載の撮影機器。
【発明の詳細な説明】
【技術分野】
【０００１】
本発明は、公開用の撮影画像等の撮影に好適な撮影機器に関する。
【背景技術】
【０００２】
近年、デジタルカメラなどの撮影機能付き携帯機器（撮影機器）は、画像処理を駆使して、様々な撮影機能を備えている。また、撮影機器においては、通信機能を備えたものもあり、撮影して得た画像を他の機器やネットワーク上に伝送することも可能である。
【０００３】
例えば、自分の周りで起こった日常を撮影して得た撮影画像を、インターネット等のネットワーク上にアップロードして、第３者との間で画像共有して楽しむこともできる。しかしながら、街の風景などの撮影時には、意図せず、撮影画像内に人の顔などが入ってしまうことがある。このような撮影画像が画像共有されると、肖像権やプライバシーの観点から好ましくない。
【０００４】
そこで、特許文献１においては、画像中の顔部にモザイクをかけることでプライバシーを保護する技術が開示されている。
【先行技術文献】
【特許文献】
【０００５】
【特許文献１】特開２００９−２８４２３５号公報
【発明の概要】
【発明が解決しようとする課題】
【０００６】
しかしながら、特許文献１の技術では、被写体部分にモザイクが掛けられることから、不自然な画像となってしまうという問題があった。
【０００７】
本発明は、撮影パラメータの制御によって自然さを保ちながらプライバシー等を保護することができる撮影機器を提供することを目的とする。
【課題を解決するための手段】
【０００８】
本発明に係る撮影機器は、撮影光学系を介して被写体を撮影して得た撮像画像を出力する撮像部と、上記撮影光学系及び撮像部の少なくとも一方の１つ以上の撮影パラメータを制御するパラメータ制御部と、公開モードにおいて、上記１つ以上の撮影パラメータを制御して、上記撮像画像中の少なくとも非公開領域を不鮮明な画像にする公開制御部とを具備する。
【発明の効果】
【０００９】
本発明によれば、撮影パラメータの制御によって自然さを保ちながらプライバシー等を保護することができるという効果を有する。
【図面の簡単な説明】
【００１０】
【図１】本発明の一実施の形態に係る撮影機器の回路構成を示すブロック図。
【図２】公開モードにおける撮影の一例を説明するための説明図。
【図３】合成制御部１２ｅが非公開領域の画像として露出オーバーで撮影した画像を用いる例を示す説明図。
【図４】横軸に画面水平方向の位置をとり縦軸に像データのレベルをとって、このような画像合成による像データの変化を示す説明図。
【図５】公開モードにおけるピント制御の一例を説明するための説明図。
【図６】公開モードにおける手ブレ制御の一例を説明するための説明図。
【図７】公開モードにおける露出時間制御の一例を説明するための説明図。
【図８】少なくとも非公開領域を不鮮明にする上述した各手法を総合的に利用する場合の一例を示すフローチャート。
【発明を実施するための形態】
【００１１】
以下、図面を参照して本発明の実施の形態について詳細に説明する。
【００１２】
図１は本発明の一実施の形態に係る撮影機器の回路構成を示すブロック図である。本実施の形態は、他人に見せる画像については、肖像権やプライバシー保護の観点等から、撮影時に、被写体の判別が比較的困難な画像となるように、撮影パラメータを設定して撮影を行う。これにより、自動的に被写体が不鮮明に撮影されるようにすることで、撮像画像を公開等する場合でも、撮影対象や構図等に注意を払うことなく簡単に撮影を行うことを可能にしたものである。なお、画像中の一部の領域のみを非公開領域として設定して、この非公開領域のみを判別が比較的困難な不鮮明な画像となるように撮影を行ってもよい。また、撮影パラメータを変化させて撮影した複数枚の撮像画像を合成することで、このような公開用の画像を生成してもよい。
【００１３】
図１において、撮影機器本体１０は、ＣＣＤやＣＭＯＳセンサ等の撮像素子によって構成された撮像部１１を有している。撮像部１１は、撮影機器本体１０の前面に設けられた交換レンズ２０からの被写体像を光電変換して撮像画像信号を得る。
【００１４】
交換レンズ２０は、撮影機器本体１０の撮像部１１に被写体像を導く撮影光学系２１を有している。撮影光学系２１は、物体側から撮像部１１の撮像面（像面）に至る光軸上に図示しない複数のレンズが配置されて構成される。即ち、撮影光学系２１は、ピント合わせによりフォーカス（合焦）状態に設定するために可動されるフォーカスレンズ及びフォーカス状態で変倍するズームレンズを含む。ズーム制御部２１ａ及びピント制御部２１ｂは、駆動部２７に駆動制御されて、これらのフォーカスレンズ及びズームレンズの駆動を制御するようになっている。
【００１５】
また、撮影光学系２１には、図示しない絞りも設けられており、絞り制御部２１ｃは駆動部２７に駆動制御されて、絞りを駆動制御するようになっている。
【００１６】
交換レンズ２０には、ズームやフォーカスレンズ等を駆動操作するための操作部２２が設けられている。例えば、操作部２２はズームリングやピントリング等によって構成される。操作部２２によって、ピント、ズーム位置や絞りの調整も可能である。回転操作判定部２３は、例えばフォトカプラやエンコーダー等によって構成されており、操作部２２の回転操作に基づく操作信号を制御部２４に出力するようになっている。
【００１７】
制御部２４は、マイコン等によって構成される。回転操作判定部２３からの操作信号は操作部２２の回転位置に対応しており、制御部２４は、操作部２２の回転位置に応じたフォーカス信号、ズーム信号を生成して駆動部２７を制御する。駆動部２７は、モーター等によって構成され、各レンズを駆動してレンズ位置を変更し、ズーム制御及びフォーカス制御を行うと共に、絞りの調整を行う。
【００１８】
撮影光学系２１のズーム制御部２１ａはズームレンズの位置（ズーム位置）に対応した信号をズーム位置判定部２５に出力する。また、ピント制御部２１ｂはピントレンズの位置に対応した信号をピント位置判定部２６に出力する。
【００１９】
ズーム位置判定部２５は、ズーム制御部２１ａの出力に基づいてズーム位置を判定して判定結果を制御部２４に出力する。ピント位置判定部２６は、ピント制御部２１ｂの出力に基づいてピント位置を判定して判定結果を制御部２４に出力する。制御部２４は、ズーム位置及びピント位置の判定結果が与えられ、操作部２２の操作に対応したズーム位置及びピント位置となるように、駆動部２７を制御する。
【００２０】
交換レンズ２０には、通信部２８が設けられている。また、撮影機器本体１０には通信部１３が設けられている。通信部２８は、所定の伝送路を介して撮影機器本体１０の通信部１３との間で情報の送受を行う。制御部２４は、撮影機器本体１０の通信部１３との間の通信が確立すると、図示しない記録部に格納したレンズ情報及びズーム操作に関するズーム情報等を通信部２８，１３によって撮影機器本体１０に送信させることができる。
【００２１】
これらの情報により、撮影機器本体１０は、交換レンズ２０に関する情報、例えば、どのようなズーム機能を有しているか、ズームレンズの焦点距離範囲（倍率）、焦点距離、明るさナンバー等を認識することができると共に、ユーザの操作に基づくズーム位置、ピント位置及び絞りの状態等を認識することができる。
【００２２】
制御部２４は、通信部１３，２８介して撮影機器本体１０の信号処理及び制御部１２から制御信号が供給されて、信号処理及び制御部１２によって制御可能に構成されている。
【００２３】
また、本実施の形態においては種々の交換レンズを採用することができる。図１では、操作部２２の操作によってズーム制御等が可能な交換レンズを採用する例を示したが、撮影機器本体１０側の操作によってズーム制御等を行うようにしてもよく、あるいは交換不能なレンズを採用してもよい。
【００２４】
撮影機器本体１０の撮像部１１は、信号処理及び制御部１２によって駆動制御されて、交換レンズ２０を介して被写体を撮像し、撮像画像を出力する。信号処理及び制御部１２は、撮像部１１に撮像素子の駆動信号を出力すると共に、撮像部１１からの撮像画像を読み出す。信号処理及び制御部１２は、読み出した撮像画像に対して、所定の信号処理、例えば、色調整処理、マトリックス変換処理、ノイズ除去処理、その他各種の信号処理を行う。
【００２５】
信号処理及び制御部１２は、信号処理後の撮像画像を圧縮処理し、圧縮後の画像を記録部１７に与えて記録させることができる。記録部１７としては、例えばカードインターフェースを採用することができ、記録部１７はメモリカード等の記録媒体に画像情報及び音声情報等を記録可能である。
【００２６】
また、信号処理及び制御部１２は、信号処理後の撮像画像を表示部１９に与えることができる。表示部１９はＬＣＤ（液晶表示パネル）等によって構成されており、信号処理及び制御部１２から与えられた画像を表示する。
【００２７】
また、撮影機器本体１０にはタッチパネル１９ａが設けられている。例えば、タッチパネル１９ａを表示部１９の表示画面上に設けることで、ユーザが指で指し示した表示画面上の位置に応じた操作信号を発生することができる。これにより、ユーザは、表示部１９の表示画面上に表示された撮像画像上の任意のポイントに対するタッチ操作によって、注目被写体等を設定することも可能である。信号処理及び制御部１２は、各部を制御することで、ユーザのタッチ操作に基づく撮影機能を実現する。
【００２８】
また、撮影機器本体１０には、操作判定部１８も設けられている。操作判定部１８は、図示しないレリーズボタンや、撮影モード設定等の各種スイッチ等を有しており、ユーザ操作に基づく操作信号を発生して信号処理及び制御部１２に供給する。信号処理及び制御部１２は、操作信号に基づいて、各部を制御する。例えば、信号処理及び制御部１２は、操作判定部１８から公開モードを指示するための図示しないスイッチの操作に基づく操作信号が入力されると、公開モードを設定することができるようになっている。なお、本実施の形態の公開モードにおいては、少なくとも非公開領域が不鮮明な画像となるように、撮影が制御されるようになっている。
【００２９】
また、信号処理及び制御部１２は、パンフォーカスモードが設定された場合には、自動的に公開モードを設定するようにしてもよい。また、信号処理及び制御部１２は、オートフォーカスモードが設定された場合や、所定の時間以内にレリーズボタンを押し終える（一気押し）の場合等において、公開モードを設定するようにしてもよい。
【００３０】
公開モード時においては、信号処理及び制御部１２によって、不鮮明な撮像を行うための撮影パラメータの設定処理が行われる。更に、公開モード時においては、非公開領域の判定処理や画像合成処理等も行われることがある。
【００３１】
このように公開モードを可能にするために、撮影機器本体１０には、仮記憶部１４及び非公開領域判定部１６が設けられている。仮記憶部１４は、信号処理及び制御部１２による信号処理後の撮像画像を仮記憶することができるようになっている。仮記憶部１４には合成画像記憶部１４ａが設けられており、合成画像記憶部１４ａには、後述する合成画像が記憶される。
【００３２】
信号処理及び制御部１２からの撮像画像は非公開領域判定部１６にも与えられる。非公開領域判定部１６は、撮像画像の公開に備えて、人物等を不鮮明に撮影されるようにするために、不鮮明とする画像部分（非公開領域）を撮像画像中から検出するようになっている。例えば、非公開領域判定部１６は、顔検出回路や文字認識回路等によって構成される。非公開領域判定部１６は、公知の顔検出の手法によって、撮像画像中の人物の顔を検出することができる。例えば、非公開領域判定部１６は、顔の明るさの特徴をモデル化した複数の濃淡画像と撮像画像とを順次比較することで、人物の顔を検出する手法を採用してもよい。なお、非公開領域判定部１６が非公開領域として検出する範囲は人物の顔に限られない。例えば、非公開領域判定部１６は、人物の顔だけでなく、人物の全体を非公開領域として検出するようにしてもよく、また、撮像画像から看板や住所等の文字を検出して、文字領域を非公開領域として検出するようにしてもよい。更に、非公開領域判定部１６は、ユーザのタッチパネル１９ａのタッチ操作によって画像中の特定の領域や被写体が指定されると、この領域や被写体を含む領域を非公開領域に設定してもよい。
【００３３】
信号処理及び制御部１２は、非公開領域判定部１６の検出結果が与えられる。信号処理及び制御部１２のピント制御部１２ａ、露出制御部１２ｂ及び手ブレ制御部１２ｃは、少なくとも非公開領域については、不鮮明な画像となるように、撮影パラメータの設定を行う。
【００３４】
ピント制御部１２ａは、少なくとも非公開領域についてはピントがぼけるように、フォーカス制御を行う。露出制御部１２ｂは、少なくとも非公開領域については露出オーバー又は露出アンダーとなるように、露出制御を行う。また、手ブレ制御部１２ｃは、少なくとも非公開領域については手ブレが生じるように、手ブレ制御を行う。
【００３５】
また、信号処理及び制御部１２は、動く人物等が不鮮明に撮像されるように、シャッタースピードを制御するようにしてもよい。信号処理及び制御部１２は、公開モードにおいては、撮像画像を仮記憶部１４に記憶させる。
【００３６】
また、信号処理及び制御部１２の合成制御部１２ｅは、撮影パラメータを変化させた複数枚の撮像画像同士を合成することで、少なくとも非公開領域が不鮮明な画像となるようにしてもよい。また、合成制御部１２ｅは、非公開領域のみが不鮮明な画像となるように、非公開領域について撮影パラメータを変化させた複数枚の撮像画像を合成するようにしてもよい。合成制御部１２ｅの合成制御によって生成された合成画像は、合成画像記憶部１４ａに記憶される。
【００３７】
信号処理及び制御部１２にはコントラスト判定部１２ｄ及び縮小制御部１２ｆが設けられている。コントラスト判定部１２ｄは、撮像部１１又は仮記憶部１４からの撮像画像又は合成画像記憶部１４ａからの合成画像が与えられて、これらの画像中の非公開領域及びその周囲のコントラストを判定する。縮小制御部１２ｆは、画像を縮小することができるようになっている。コントラスト判定部１２ｄのコントラストの判定結果によって、非公開領域が不鮮明な画像になっているか否かを判定することができる。縮小制御部１２ｆは、コントラスト判定結果によって非公開領域が不鮮明な画像になっていないものと判定した場合には、当該画像を縮小画像に変換する。
【００３８】
信号処理及び制御部１２は、コントラスト判定結果によって非公開領域が不鮮明であると判定された画像を公開モードにおける画像（以下、公開画像という）として記録部１７に与えて記録させるようになっている。また、信号処理及び制御部１２は、縮小制御部１２ｆによって縮小された画像を公開モードにおける公開画像として記録部１７に与えて記録させるようになっている。
【００３９】
撮影機器本体１０には、通信部３１が設けられており、通信部３１は、信号処理及び制御部１２に制御されて、記録部１７に記録された公開画像をインターネット等の図示しない伝送路を介して他の機器に送信することができるようになっている。例えば、信号処理及び制御部１２は、通信部３１によって、記録部１７に記録された公開画像を自動的に送信するモードを設定することができる。
【００４０】
次に、このように構成された実施の形態の動作について図２乃至図７を参照して説明する。図２は公開モードにおける撮影の一例を説明するための説明図であり、図２（ａ）は撮影機器を構えて被写体を撮影する様子を示しており、図２（ｂ）乃至（ｄ）は撮影結果を模式的に示している。
【００４１】
図２（ａ）に示すように、撮影者４１はその左手４２Ｌで交換レンズ２０を支え、撮影機器本体１０上面の図示しないレリーズスイッチに人差し指４３ａを軽く触れながら撮影機器本体１０を右手４２Ｒで軽く把持して、撮影のために構えている。なお、図２（ａ）では、被写体として建物４５及び山４６を背景にした人物４４を撮影する例を示している。
【００４２】
この構えた態勢において、公開モードが設定されると、非公開領域判定部１６によって、非公開領域が検出される。図２（ａ）の例では、例えば人物４４の全体が非公開領域として検出される。図２（ｂ）は、最適露出で撮影された撮像画像を模式的に示している。図２（ｂ）の撮像画像中には、背景として、建物４５及び山４６に対応する建物画像４５ａ、山画像４６ａが写され、これらの画像の手前に人物４４に対応する人物画像４４ａが写されている。
【００４３】
これに対し、図２（ｃ）は露出アンダーで撮影された撮像画像を模式的に示している。図２（ｃ）では、ハッチングの間隔が狭いことによって、建物４５、山４６及び人物４４に対応する露出アンダーの暗い画像４５ｂ，４６ｂ，４４ｂが写されていることを示している。
【００４４】
本実施の形態においては、例えば露出制御部１２ｂの制御によって、図２（ａ）に示す最適露出での撮影及び図２（ｂ）に示す露出アンダーでの撮影を行う。合成制御部１２ｅは、非公開領域のみが露出アンダーとなるように、図２（ａ），図２（ｂ）の撮像画像の合成を行う。図２（ｄ）はこの合成画像を示しており、建物４５及び山４６に対する適正露出の画像４５ａ，４６ａと、人物４４に対応する露出アンダーの画像４４ｂとが合成されている。こうして、非公開領域については、露出アンダーのため、人物の判定等が困難な不鮮明な画像となる。
【００４５】
なお、合成制御部１２ｅは、公知のＨＤＲ画像合成手法と同様の手法により、このような合成画像を生成することができる。ＨＤＲ画像合成においては、露出値を変化させながら撮影された複数の撮像画像を合成することで、白飛びや黒つぶれの少ない広いダイナミックレンジの画像を生成する。合成制御部１２ｅは、合成に際して、非公開領域については、露出アンダー又は露出オーバーで撮影された画像を用いることで、非公開領域を不鮮明な画像となるようにしている。
【００４６】
図３は合成制御部１２ｅが非公開領域の画像として露出オーバーで撮影した画像を用いる例を示す説明図である。図３（ａ）は図２（ｂ）と同様の撮像画像と露出オーバーで撮影した画像とを合成制御部１２ｅによって合成した合成画像を示している。また、図３（ｂ）は横軸に水平方向の画像位置をとり縦軸に像データのレベルをとって、図３（ａ）の所定の水平位置における像データを示している。
【００４７】
人物４４に対応する画像４４ｃの部分は、露出オーバーで撮影されて、図３（ｂ）に示すようにレベルが極めて高く、画像４４ｃは白飛びの状態であることを示している。図３（ａ）はこのような合成画像を示しており、破線部分は、人物４４に対応する露出オーバーの画像４４ｃを示している。こうして、非公開領域については、露出オーバーのため、人物の判定等が困難な不鮮明な画像となる。
【００４８】
なお、図２及び図３の例では、非公開領域を切出して合成することで、非公開領域のみが不鮮明な画像となるように画像合成を行う例について説明したが、非公開領域を切出すことなく、複数の撮像画像を画像合成するようにしてもよい。図４は横軸に画面水平方向の位置をとり縦軸に像データのレベルをとって、このような画像合成による像データの変化を示す説明図である。図４の例は、露出を変化させながら撮影して得た２枚の画像Ａ，Ｂを合成して、合成画像Ｃを得た場合の例を示している。露出の設定等によっては、合成画像Ｃにおいても、非公開領域が不鮮明な画像となることがある。
【００４９】
このように、露出を変化させながら撮影した複数枚の画像を合成することで、非公開領域を不鮮明な画像とすることができる。この場合には、適正露出での撮像を行っておくことで、公開用の画像だけでなく、非公開領域についても鮮明な撮像画像も記録することができる。
【００５０】
更に、非公開領域について鮮明な画像を保存しておく必要がない場合にに、画像合成を行うことなく、露出の制御のみによって、少なくとも非公開領域のみが不鮮明な画像となる撮像画像を得ることも可能である。
【００５１】
図５は公開モードにおけるピント制御の一例を説明するための説明図である。本実施の形態においては、ピント制御によっても非公開領域を不鮮明な画像とすることができる。図５（ａ）は図２（ｂ）と同様の撮像画像について、人物４４に対応する画像部分を非合焦状態としたことを破線表示によって示している。図５（ｂ）は横軸に画面の水平位置をとり縦軸に被写体までの距離をとって、合焦状態を説明するためのものである。
【００５２】
図５（ｂ）に示すように、人物４４は最も手前に位置し、背景の建物４５及び山４６までの距離は遠い。被写界深度Ａは、人物４４を合焦位置に設定して通常絞り状態における被写界深度を示している。この場合には、例えば図２（ｂ）の撮像画像が得られる。これに対し、被写界深度Ｂは、背景を合焦位置に設定して絞り開放状態における被写界深度を示している。図５（ａ）はこのような場合の撮像画像を示しており、背景の建物４５及び山４６に対応する画像４５ａ，４６ａはピントが合っているが、人物４４に対応する画像４４ｄは、ピントが合っておらず不鮮明な画像となっている。
【００５３】
ピント制御部１２ａは、非公開領域判定部１６が検出した非公開領域までの距離を求め、求めた距離に応じて、合焦位置及び被写界深度を設定することで、少なくとも非公開領域について非合焦状態の画像を得る。
【００５４】
このように、ピント制御によって、非公開領域を不鮮明な画像とすることができる。なお、この場合には、複数枚の撮像画像を合成する必要はなく、１回の撮像のみによって非公開領域が不鮮明な画像を得ることもできる。
【００５５】
図６は公開モードにおける手ブレ制御の一例を説明するための説明図である。本実施の形態においては、手ブレ制御部１２ｃによる手ブレ制御によっても非公開領域を不鮮明な画像とすることができる。図６は図２（ｂ）と同様の撮像画像について、人物４４に対応する画像部分が手ブレによって不鮮明な画像４４ｅになっていることを破線表示によって示している。
【００５６】
また、図７は公開モードにおける露出時間制御の一例を説明するための説明図である。本実施の形態においては、露出制御部１２ｂによる露出時間の制御によっても非公開領域を不鮮明な画像とすることができる。図７は図２（ｂ）と同様の撮像画像について、人物４４が動くことにより、人物４４に対応する画像部分が動きによって不鮮明な画像４４ｆになっていることを破線表示によって示している。露出制御部１２ｂが露出時間を比較的長くすると、静止している背景にはぶれが生じないが、動きがある人物４４の画像４４ｆにはブレが生じて、不鮮明な画像となっている。
【００５７】
図８は少なくとも非公開領域を不鮮明にする上述した各手法を総合的に利用する場合の一例を示すフローチャートである。
【００５８】
図８のステップＳ１において、信号処理及び制御部１２は撮影モードであるか否かを判定する。いま、撮影モードが指示されているものとする。この場合には、信号処理及び制御部１２は、ステップＳ２〜Ｓ４において、スルー画の表示及び顔等の非公開領域の検出を行う。即ち、信号処理及び制御部１２は撮像部１１からの撮像画像を取り込んで、所定の信号処理を施す。信号処理及び制御部１２は、信号処理後の撮像画像を非公開領域判定部１６に出力すると共に、信号処理後の撮像画像を表示部１９に与えてスルー画を表示させる（ステップＳ２）。
【００５９】
非公開領域判定部１６は、ステップＳ３において、撮像画像中の例えば顔が判定可能であるか否かを判断し、判定可能である場合には撮像画像を解析して、人物部分の領域を非公開領域として求める（ステップＳ４）。
【００６０】
ここで、撮影者がレリーズボタン等の操作によって撮影を行うものとする。この場合には、信号処理及び制御部１２は、処理をステップＳ６からステップＳ７に移行して、公開設定が行われているか否かを判定する。公開設定されていない場合には、信号処理及び制御部１２は、通常モードを設定して撮影及び圧縮記録を行う。即ち、信号処理及び制御部１２は、撮影に関する設定を判定し（ステップＳ８）、設定された設定によって交換レンズ２０及び撮像部１１を制御する（ステップＳ９）。信号処理及び制御部１２は、レリーズボタンの押下によって、撮像部１１からの撮像画像を取り込んで、所定の信号処理を行う。信号処理及び制御部１２は、信号処理後の撮像画像を圧縮して、記録部１７に与えて記録する。また、信号処理及び制御部１２は、記録した撮像画像を表示部１９にも与えて確認表示させる（ステップＳ１０）。
【００６１】
信号処理及び制御部１２は、確認表示している画像が公開用の画像であるか否かを判定する（ステップＳ１１）。公開用の画像でない場合には、処理をステップＳ１３に移行して、確認表示の開始から所定時間経過したか否かを判定する。所定時間経過すると、確認表示を終了させる（ステップＳ１４）。
【００６２】
ここで、撮影者が、公開モードを設定しているものとする。この場合には、信号処理及び制御部１２は、処理をステップＳ７からステップＳ１５に移行して、画像公開のための撮影及び記録のための処理を行う。即ち、先ず、信号処理及び制御部１２は、ステップＳ１５において、非公開領域の被写体と他の被写体との間に所定距離以上の距離差が有るか否かを判定する。距離差がある場合には、ピント制御部１２ａ及び露出制御部１２ｂによって、非公開領域以外の例えば背景にピントを合わせ、絞りを開放状態にして撮影を行う（ステップＳ１６）。これにより、図５（ａ）と同様の撮影が行われる。
【００６３】
信号処理及び制御部１２は、所定距離以上の距離差がない場合には、処理をステップＳ１７に移行して、非公開領域の被写体と他の被写体との間に所定の露出差が有るか否かを判定する。信号処理及び制御部１２は、露出差がある場合には、非公開領域の暗さ、例えば顔の暗さを所定の閾値と比較して判定する（ステップＳ１８）。顔が所定の閾値に比べて暗い場合には、露出制御部１２ｂによって、顔部が露出アンダーとなるように露出が制御されて撮影が行われる（ステップＳ１９）。これにより、図２（ｃ）のような撮像画像が得られる。また、顔が所定の閾値に比べて明るい場合には、露出制御部１２ｂによって、顔部が露出オーバーとなるように露出が制御されて撮影が行われる（ステップＳ２０）。これにより、画像合成により図３（ａ）のような撮像画像が得られる。
【００６４】
信号処理及び制御部１２は、ステップＳ１５，Ｓ１７において、非公開領域の被写体と他の被写体との間に、所定の距離差及び露出差がないものと判定した場合には、ステップＳ２１において、露出時間を長くする長秒時撮影を行う。非公開領域の人物の画像が動く場合には、長秒時撮影によって、非公開領域部分の画像がぶれて、不鮮明な画像となる。これにより、図７のような撮像画像が得られる。
【００６５】
ステップＳ２５では、信号処理及び制御部１２は、非公開領域を不鮮明にする各種処理の効果を判定する。コントラスト判定部１２ｄは、非公開領域とその周囲のコントラストを検出して、コントラストが良好な場合には、非公開領域が比較的鮮明であり、ステップＳ１６，Ｓ１９，Ｓ２０，Ｓ２１の処理の効果が十分ではないものと判定して、縮小制御部１２ｆによって撮像画像を縮小する（ステップＳ２６）。
【００６６】
信号処理及び制御部１２は、撮像画像を表示部１９に与えて表示させ（ステップＳ２７）、ユーザに撮像画像が公開用画像として適しているか否かを判定させる。表示された撮像画像は公開用画像として適しているとユーザが判断した場合には、その旨を示すユーザ操作に基づいて、処理はステップＳ３０に移行し、撮像画像が公開用の撮像画像として記録部１７において記録される。
【００６７】
一方、表示された撮像画像は公開用画像として不適であるとユーザが判断した場合には、その旨を示すユーザ操作に基づいて、処理はステップＳ２９に移行し、通常撮像画像との合成処理が行われる。即ち、合成制御部１２ｅは、撮影パラメータを変化させて得た複数の撮像画像同士の合成画像や、撮影パラメータを変化させて得た不鮮明な非公開領域の画像部分を通常画像に合成して得た合成画像等を得る。こうして、例えば、図２（ｄ）のような撮像画像（合成画像）が得られる。この合成画像についても記録部１７に与えられて、公開用画像として記録される。
【００６８】
この記録された公開用画像が、ステップＳ１０において確認表示され、ステップＳ１２において、ネットワークに送信される。このように、公開モードが設定されている場合には、撮影時に、撮影パラメータの調整によって、非公開領域が不鮮明な画像となって撮像が行われる。従って、公開モードが設定されている場合には、ユーザは、被写体の構図や、撮影範囲内にどのような被写体が存在するか等を特に意識することなく撮影を行った場合でも、被写体の肖像権やプライバシー等を保護することが可能である。しかも、撮影パラメータの制御によってこのような不鮮明な画像を得ており、撮像画像として自然さを保ちながらプライバシー等の保護が可能である。
【００６９】
撮影モードが指定されていない場合には、信号処理及び制御部１２は、ステップＳ４１において再生モードが指定されているか否かを判定する。再生モードが指定された場合には、信号処理及び制御部１２は、記録部１７に記録されている画像を読み出し、伸張処理等の所定の信号処理を施した後、表示部１９に与えて再生表示させる（ステップＳ４２）。信号処理及び制御部１２は、ステップＳ４３において再生画像の変更操作が行われていたか否かを判定し、他の画像を指定する変更操作があった場合には、指定された他の画像を読み出し、伸張処理等の所定の信号処理を施した後、表示部１９に与えて再生表示させる（ステップＳ４４）。
【００７０】
信号処理及び制御部１２は、ステップＳ４１において再生モードが指定されていないと判定した場合には、ステップＳ４５において通信可能で未送信の画像が記録部１７に記録されているか否かを判定する。信号処理及び制御部１２は、通信可能な未送信の画像、即ち、未送信の公開用画像が存在する場合には、ステップＳ４６において、当該未送信画像を読み出し、通信部３１によってネットワーク上に送信させる。
【００７１】
このように本実施の形態においては、撮影時において、撮像画像中の人物の顔部等の非公開領域が不鮮明な画像となるように、自動的に撮影パラメータが設定され、或いは撮影パラメータを変更しながら撮影した複数の画像を合成する。これにより、撮影直後に記録した撮像画像をネットワーク上にアップロードする場合等においても、撮影された人物の個人情報を保護することができると共に、公開用画像として自然な仕上がりの画像を得ることができる。
【００７２】
なお、上述した実施の形態においては、公開モードは、撮像直後においてネットワーク上に撮像画像を送信することを前提に説明したが、再生時においても公開モードを設定することが可能である。例えば、撮影時に、公開用画像と通常の画像の両方が記録されている場合には、公開モードが設定されると、公開用画像のみを再生するように設定することも可能である。通常の画像のみが記録され、公開用画像が記録されていない場合には、再生を行わないように設定することも可能である。
【００７３】
また、再生した再生画像に対して、不鮮明な画像を得るための上述した各種処理と同様の処理を施す画像処理を行うことによって、通常の画像から公開用画像を作成した後再生するようにしてもよい。
【００７４】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。また、内視鏡、顕微鏡のような産業用、医療用の光学機器でもよい。観察装置、望遠鏡、追尾付きの監視カメラにも応用が可能であることは言うまでもない。
【００７５】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００７６】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【００７７】
また、ここで説明した技術のうち、主にフローチャートで説明した制御や機能は、多くがプログラムにより設定可能であり、そのプログラムをコンピュータが読み取り実行することで上述した制御や機能を実現することができる。そのプログラムは、コンピュータプログラム製品として、フレキシブルディスク、ＣＤ−ＲＯＭ等、不揮発性メモリ等の可搬媒体や、ハードディスク、揮発性メモリ等の記憶媒体に、その全体あるいは一部を記録又は記憶することができ、製品出荷時又は可搬媒体或いは通信回線を介して流通又は提供可能である。利用者は、通信ネットワークを介してそのプログラムをダウンロードしてコンピュータにインストリールしたり、あるいは記録媒体からコンピュータにインストールすることで、容易に本実施の形態の撮影機器を実現することができる。
【符号の説明】
【００７８】
１０…撮影機器本体、１１…撮像部、１２…信号処理及び制御部、１２ａ…ピント制御部、１２ｂ…露出制御部、１２ｃ…手ブレ制御部、１２ｄ…コントラスト判定部、１２ｅ…合成制御部、１２ｆ…縮小制御部、１３，２８，３１…通信部、１４…仮記憶部、１４ａ…合成画像記憶部、１６…非公開領域判定部、１７…記録部、１９…表示部、１９ａ…タッチパネル、２１…撮影光学系、２２…操作部、２３…回転操作判定部、２４…制御部、２５…ズーム位置判定部、２６…ピント位置判定部、２７…駆動部。
【図１】
2014207580.tif 000003
【図２】
2014207580.tif 000004
【図３】
2014207580.tif 000005
【図４】
2014207580.tif 000006
【図５】
2014207580.tif 000007
【図６】
2014207580.tif 000008
【図７】
2014207580.tif 000009
【図８】
2014207580.tif 000010